(57)【要約】      （修正有）【課題】ワタリにフロント部が上下動して遠くを見る場合と近くを見る場合に適当に位置合わせ出来るように取付けた遠近両用メガネの提供。【解決手段】ワタリ１の中央部には上下方向に延びる２本のガイドレールを取付け、フロント部２の中央部には下方へ延びて撓み変形する２本の脚を備えると共に下端にはストッパーを形成し、該脚を上記ガイドレールに係合することでフロント部２をワタリ１に取付けることが出来る。【選択図】図１
2018189763.tif 000002
【特許請求の範囲】
【請求項１】
両先端に折畳み出来るようにツルを備えたワタリにフロント部が上下動して遠くを見る場合と近くを見る場合に適当に位置合わせ出来るように取付けた遠近両用メガネにおいて、上記ワタリの中央部には上下方向に延びる２本のガイドレールを取付け、フロント部の中央部には下方へ延びて撓み変形する２本の脚を備えると共に下端にはストッパーを形成し、該脚を上記ガイドレールに係合することでフロント部をワタリに取付けることを特徴とする遠近両用メガネ。
【請求項２】
上記脚の下端部を湾曲して外方向へ張り出し、両脚下端部の間隔を大きくした請求項１記載の遠近両用メガネ。
【請求項３】
上記ガイドレールの内側には脚が嵌合するガイド溝を形成した請求項１、又は請求項２記載の遠近両用メガネ。
【発明の詳細な説明】
【技術分野】
【０００１】
本発明はレンズが嵌るフロント部の位置が上下方向に移動することが出来るように構成している遠近両用メガネに関するものである。
【背景技術】
【０００２】
メガネにも色々な種類が存在しているが、近くと遠くを見ることが出来る遠近両用メガネが知られている。すなわち、遠近両用メガネとは、１つのメガネで近くと遠くの両方を見ることが出来るようにした遠近両用レンズが嵌っているメガネのことである。
したがって、新聞や雑誌を読む時には視線が下側に向くことから、レンズ下側に近用レンズ部を有し、中程は遠くが見えるように遠用レンズ部と成っている。すなわち、１枚のレンズに近用レンズ部と遠用レンズ部が一体的に形成されている。
【０００３】
近眼の人が年老いて老眼になった場合、この遠近両用レンズを嵌めたメガネを使用することで近眼用のメガネと老眼用のメガネを掛け換える必要がなくなる。常に同じメガネを掛けることで日常の生活を送ることが可能と成る。
しかし、近眼でない人は、レンズ中程を遠用レンズ部（凹レンズ部）とすることなく度数を持たないレンズ部として、下側だけを近くが見えるように近用レンズ部（凸レンズ部）とする場合もある。
【０００４】
そこで、メガネのフロント部を上下動させて見え易いように位置合わせしている。例えば、文章を書く時は、特に下を向く為にレンズ下側に視線が向くが、パソコンを操作して画面を見るときは比較的レンズ中央部に視線が向く。フロント部を下方に位置させたり、逆に上方に位置させることで、夫々の仕事がし易いようにしている。
【０００５】
例えば、特開２００５−１０７０７号に係る「多焦点用眼鏡枠」は、鼻当てを上下させることで眼鏡枠を上下させ、遠用・近用のどのレンズ部を使用する場合でも使用レンズが適正高さになるようにした多焦点用眼鏡枠である。
そこで、左右の眼鏡枠の各内側に保持片をそれぞれ取り付け、各保持片にはそれぞれくぼみを設けて磁石も埋め込んでいる。摺動片は門状のものとし、左右の支持棒をくぼみにそれぞれはめている。上部両端に磁石をそれぞれ埋め込んでいる。眼鏡枠に対して鼻当てパットを下端に取付けている摺動片が上下動可能と成っている。一方の磁石と他方の磁石とが吸着し合っていることで摺動片を所定の位置で保持することが出来る。
【０００６】
特開平８−１４６３５６号に係る「多焦点用眼鏡枠」は、多焦点レンズをはめ込んだ眼鏡枠の内側においてガイド片を上下方向に設け、ガイド片にスライド片をはめている。スライド片に対し上下に回動できるように支持脚を取り付け、支持脚の先端に鼻当てを取り付けるようにしている。スライド片を上昇させ支持脚を上方へ回動させて装用すると、鼻当てが上昇した遠方視の状態になっている。逆に、スライド片を下降させ支持脚を下方へ回動させると、近点視の状態になる。
【０００７】
また、特公平６−９７３１３号に係る「多焦点用眼鏡枠」は、プラスチック製フレームを対象とした眼鏡枠であり、鼻当て部材を上下動させることが出来るようにしている。
【特許文献１】特開２００５−１０７０７号に係る「多焦点用眼鏡枠」
【特許文献２】特開平８−１４６３５６号に係る「多焦点用眼鏡枠」
【特許文献３】特公平６−９７３１３号に係る「多焦点用眼鏡枠」
【発明の開示】
【発明が解決しようとする課題】
【０００８】
このように、遠近両用メガネには上記のごとき色々な形態が知られている。本発明が解決しようとする課題は、フロント部が無段階で上り下りすることが出来、しかも該フロント部は安定して所定の位置に配置されるようにした遠近両用メガネを提供する。
【課題を解決するための手段】
【０００９】
本発明に係る遠近両用メガネは、フロント部をワタリに取付けて構成され、該フロント部は上下動することが出来るように成っている。ワタリはその両先端にツルが取付けられ、該ツルは継手を介して折畳み出来るように成っている。
ところで、ワタリの中央部には鼻当てパットが取付けられ、この鼻当てパットを先端に取付けているアームの基部には上下方向に延びる２本のガイドレールが設けられている。
【００１０】
そして、フロント部の中央部正面側には２本の脚を設け、該脚は上記ガイドレールに係合ことでフロント部がワタリに取付けられる。脚はバネ材にて構成されてガイドレールには脚が撓み変形することで発生するバネ力が付勢されて係合することが出来る。
ここで、ガイドレールの断面形状は限定せず、また脚の断面形状も特に限定しない。ガイドレールにバネ力を付勢して係合した脚は、フロント部を適当な位置（高さ）にて保持することが出来る。
【発明の効果】
【００１１】
本発明の遠近両用メガネはワタリにフロント部を取付けて構成され、該フロント部はワタリに設けた２本のガイドレールに沿って上下方向に移動することが出来る。しかも、フロント部は２本のバネ性を備えた脚がガイドレールにバネ力を付勢して係合することで止着される為に、フロント部の高さ位置は無段階で変えることが可能となる。
【００１２】
また、ガイドレールはワタリの背面側中央部に設けられ、脚はフロント部の正面側中央部に設けている為に、フロント部はワタリの背面側に取付けられることで、正面から見た外観は良好となり、鼻当てパットにて支持されるフロント側の重さは軽減される。
【図面の簡単な説明】
【００１３】
【図１】本発明に係る遠近両用メガネで、（ａ）は遠くを見る場合、（ｂ）は近くを見る場合を表している。
【図２】本発明に係る遠近両用メガネを構成するワタリで、（ａ）は平面図、（ｂ）は正面図を表している。
【図３】ワタリの中央部に取付けられるガイドレールの具体例。
【図４】本発明の遠近両用メガネを構成するフロント部の具体例で、（ａ）は平面図、（ｂ）は正面図。
【図５】フロント部の中央部に取付けられる取付け部材を示す具体例。
【図６】（ａ）は境目なしの累進多焦点レンズ、（ｂ）は二重焦点レンズ、（ｃ）は三重焦点レンズ。
【発明を実施するための形態】
【００１４】
図１は本発明に係る遠近両用メガネを示す実施例であり、１はワタリ、２はフロント部を表し、（ａ）はフロント部２が降下している場合で遠くを見ることが出来、（ｂ）はフロント部２が上昇している場合で、新聞や雑誌を読む時などで近くを見ることが出来る。同図に示すレンズの斜線部は凸レンズ部（近用部）と成っている。フロント部２はワタリ１の背面側に取付けられて、その位置を同図に示すように上方及び下方へ移動することが出来るように構成している。
【００１５】
図２にワタリ１を表しているように、水平方向に延びる部材として構成され、中央部３には鼻当てパット３，３が取付けられ、両側端部は後方へ湾曲してヨロイ部４，４が形成され、該ヨロイ部４，４の先端には蝶番５，５を介してツル６，６が折畳み出来るように取付けられている。そして、中央部には２本のガイドレール７，７が対を成して固定されている。
【００１６】
図３はガイドレール７を示す具体例であり、（ａ）は平面図、（ｂ）は正面図、（ｃ）は側面図であり、ガイドレール７は上下方向を向いてワタリ中央部に取付けられている。両ガイドレール７，７は所定の間隔をおいて配置され、内側にはガイド溝８を形成している。そして、このガイド溝８にはフロント部２に取付けた脚が嵌合することで、ワタリ１にフロント部２が取付けられる。
【００１７】
図４はフロント部２を示す具体例であり、該フロント部２は両リム９，９が連結部材１０にて連結され、リム９，９にはレンズ１１，１１が嵌っている。そして、リム９，９の外側にはリムロック１２，１２が設けられ、リムロック１２，１２に設けているネジを弛めることでリム周長が拡大してレンズ１１，１１を嵌めたり外したりすることが出来る。このようにフロント部２の構造は、従来のメガネの場合と同じであり、フロント部２の形状に関しては特に限定しない。
【００１８】
そして、該フロント部２の連結部材１０の正面には門形をして２本の脚１３，１３が下方へ延びている取付け部材１４が固定されている。すなわち、取付け部材１４の上片１５は湾曲して連結部材１０の正面側にロウ付けされ、２本の脚１３，１３はリム９，９に近接して下方へ延びている。
図５は上記取付け部材１４を示す具体例であり、その形状は門形として上片１５の両先端には脚１３，１３が下方へ延びている。そして、脚先端（下端）にはストッパー１６，１６を設けている。
【００１９】
上記取付け部材１４はバネ材で構成されていることで、脚１３，１３は撓み変形することが出来る。すなわち、両脚１３，１３はワタリ１に取付けている２本のガイドレール７，７に形成しているガイド溝８，８に嵌合するが、嵌合に際しては両脚１３，１３の間隔を縮めた状態でガイド溝８，８に嵌り、その為に、バネ力がガイドレール７，７に作用する。従って、ガイドレール７，７のガイド溝８，８に嵌った脚１３，１３は滑ることなく止着され、フロント部２は安定してワタリ１に保持される。
【００２０】
特に、脚１３，１３の下端部１７，１７は湾曲して外側へ拡張している為に、フロント部２が上方へ持ち上げられる場合には、拡張した下端部１７，１７がガイド溝８，８に嵌入して作用するバネ力は一段と大きくなり、フロント部２がその重量で降下することはない。そして、脚１３，１３の下端にはストッパー１６，１６を設けている為に、フロント部２を持ち上げても該ストッパー１６，１６に当たって脚１３，１３はガイド溝８，８から抜けることはない。
実施例で示しているガイドレール７にはガイド溝８があり、このガイド溝８に脚１３が嵌合するように構成しているが、ガイドレール７の断面形状及び脚８の断面形状は限定しない。また、ガイドレール７に脚１３が嵌合するように構成しなくてもよく、脚にガイドレールが嵌るガイド溝を形成することも可能である。
【００２１】
図６はレンズ１１を示す具体例であり、（ａ）に示すレンズ１１ａは境目なしの累進多焦点型レンズ、（ｂ）に示すレンズ１１ｂは二重焦点型レンズ、（ｃ）に示すレンズ１１ｃは三重焦点型レンズをそれぞれ示している。
上記フロント部２のリム９にはこれらレンズ１１ａ、１１ｂ、１１ｃが嵌り、ワタリ１に対してフロント部２の位置（高さ）を変えることで遠方、中間、及び近くを見ることが出来る。
【符号の説明】
【００２２】
１   ワタリ
２   フロント部
３   鼻当てパット
４   ヨロイ部
５   蝶番
６   ツル
７   ガイドレール
８   ガイド溝
９   リム
10   連結部材
11   レンズ
12   リムロック
13   脚
14   取付け部材
15   上片
16   ストッパー
17   下端部
【図１】
2018189763.tif 000003
【図２】
2018189763.tif 000004
【図３】
2018189763.tif 000005
【図４】
2018189763.tif 000006
【図５】
2018189763.tif 000007
【図６】
2018189763.tif 000008